(57)【特許請求の範囲】
【請求項１】
防水シートで覆って止水する止水組積躯体であって、板面に止水板材用のダボ穴と補強板用のダボ穴を設けた板材を、平らな地面へ貯水槽の形状に並置して成る貯水槽の土台枠、該土台枠の上に小口にダボ穴を設けた補強板をダボ木で立て置きして鎹で固定し、板材の両小端面に複数のダボ穴を設けた止水板材をダボ木で組積して鎹で土台枠に固定して成る下部の止水板材、該止水板材の上に、前記、止水板材をダボ木で組積して補強板と鎹で固定して成る貯水槽躯体、該貯水槽躯体の内側を防水シートで覆って貯水槽躯体の上に笠木をビスで固定し、貯水槽躯体の補強板に転倒防止板をビス固定して、固定ピンと土嚢で補強することで、貯水槽が構築できることを特徴とする防水シートで覆って止水する止水組積躯体。
【請求項２】
板材の板面に止水板材の差込溝を設けて成る止水板固定部材、該止水板固定部材を構築物の基礎部に固定して、前記、板面に止水板材用のダボ穴と補強板用のダボ穴を設けた板材を、平らな地面へ止水板の形状に並置して成る止水板の土台枠、該土台枠の上に小口にダボ穴を設けた補強板をダボ木で立て置きして鎹で固定し、板材の両小端面に複数のダボ穴を設けた止水板材をダボ木で組積して鎹で土台枠に固定して成る下部の止水板材、該止水板材の上に、前記、止水板材をダボ木で組積して補強板と鎹で固定して成る止水躯体、該止水躯体の浸水側に防水シートを被せて止水躯体の上に笠木をビスで固定し、浸水側の防水シートの上を浸水防止の重しネットを載せて、止水躯体の補強板に転倒防止板をビス固定して、土嚢で補強することで、浸水が防止できる止水板とすることを特徴とする、請求項１に記載の防水シートで覆って止水する止水組積躯体。
【発明の詳細な説明】
【技術分野】
【０００１】
本発明は、防水シートで覆って止水する止水組積躯体に関する。
【背景技術】
【０００２】
近年多発する水害には、大きく「外水氾濫」と「内水氾濫」の２種類がある。特に問題なのは「内水氾濫」で、台風や集中豪雨による短時間で大量の降雨、または長雨で河川の水位が上がり、排水ができないことで居住地に雨水が溜まる浸水被害がある。
【０００３】
「外水氾濫」については、河川の上流で降った雨により河川の水位があがり、堤防から水が溢れる浸水被害や堤防決壊で発生する居住地の浸水被害も多発をしている。
【０００４】
これら「外水氾濫」や「内水氾濫」で発生する浸水被害対策は我が国の最重要課題である。
【先行技術文献】
【特許文献】
【０００５】
【特許文献１】無し
【０００６】
【非特許文献１】無し
【発明の開示】
【発明が解決しようとする課題】
【０００７】
「外水氾濫」や「内水氾濫」の防災には次の問題がある。
〇「外水氾濫」は居住地を高台へ移転する防災案が出るほどの最重要避難問題。
〇「内水氾濫」は行政が最重要課題として取組んでいるが対策案が出ない問題。
〇各自が止水板を設置する浸水防災は金属製の止水板で設置費が嵩む設置問題。
【０００８】
災害が多発する我が国には、「内水氾濫」防災を地域国民が一体となって推進ができる、迅速且つ低価格で容易に造れる浸水防止構築物の開発が急がれている。
【０００９】
本発明は、上記の課題に鑑みて「内水氾濫」防災を地域国民が一体となって推進ができる、迅速且つ低価格で容易に造れる「防水シートで覆って止水する止水組積躯体」を提供するものである。
【課題を解決するための手段】
【００１０】
この発明は、上記の課題を解決するためになされたもので、防水シートで覆って止水する止水組積躯体であって、板面に止水板材用のダボ穴と補強板用のダボ穴を設けた板材を、平らな地面へ貯水槽の形状に並置して成る貯水槽の土台枠、該土台枠の上に小口にダボ穴を設けた補強板をダボ木で立て置きして鎹で固定し、板材の両小端面に複数のダボ穴を設けた止水板材をダボ木で組積して鎹で土台枠に固定して成る下部の止水板材、該止水板材の上に、前記、止水板材をダボ木で組積して補強板と鎹で固定して成る貯水槽躯体、該貯水槽躯体の内側を防水シートで覆って貯水槽躯体の上に笠木をビスで固定し、貯水槽躯体の補強板に転倒防止板をビス固定して、固定ピンと土嚢で補強することで、貯水槽が構築できることを特徴とする防水シートで覆って止水する止水組積躯体（請求項１）を提供する。
【００１１】
板材の板面に止水板材の差込溝を設けて成る止水板固定部材、該止水板固定部材を構築物の基礎部に固定して、前記、板面に止水板材用のダボ穴と補強板用のダボ穴を設けた板材を、平らな地面へ止水板の形状に並置して成る止水板の土台枠、該土台枠の上に小口にダボ穴を設けた補強板をダボ木で立て置きして鎹で固定し、板材の両小端面に複数のダボ穴を設けた止水板材をダボ木で組積して鎹で土台枠に固定して成る下部の止水板材、該止水板材の上に、前記、止水板材をダボ木で組積して補強板と鎹で固定して成る止水躯体、該止水躯体の浸水側に防水シートを被せて止水躯体の上に笠木をビスで固定し、浸水側の防水シートの上を浸水防止の重しネットを載せて、止水躯体の補強板に転倒防止板をビス固定して、土嚢で補強することで、浸水が防止できる止水板とすることを特徴とする、請求項１に記載の防水シートで覆って止水する止水組積躯体（請求項２）を提供する。
【発明の効果】
【００１２】
本発明の特筆すべき大きな効果を列挙する。
イ）運動場や空地に造る大型貯水槽で治水を可能にできる。
ロ）大小の仮設貯水槽が迅速且つ低価格で容易に造れる。
ハ）多種多様な止水板が迅速且つ低価格で容易に造れる。
【００１３】
以上で説明したように、請求項１に係る発明によれば、板面に止水板材用のダボ穴と補強板用のダボ穴を設けた板材を、平らな地面へ貯水槽の形状に並置して成る貯水槽の土台枠、該土台枠の上に小口にダボ穴を設けた補強板をダボ木で立て置きして鎹で固定し、板材の両小端面に複数のダボ穴を設けた止水板材をダボ木で組積して鎹で土台枠に固定して成る下部の止水板材、該止水板材の上に、前記、止水板材をダボ木で組積して補強板と鎹で固定して成る貯水槽躯体、該貯水槽躯体の内側を防水シートで覆って貯水槽躯体の上に笠木をビスで固定し、貯水槽躯体の補強板に転倒防止板をビス固定して、固定ピンと土嚢で補強することで、大小の多種多様な仮設貯水槽が迅速且つ低価格で容易に造れる効果は大きい。
【００１４】
請求項２に係る発明によれば、板材の板面に止水板材の差込溝を設けて成る止水板固定部材、該止水板固定部材を構築物の基礎部に固定して、前記、板面に止水板材用のダボ穴と補強板用のダボ穴を設けた板材を、平らな地面へ止水板の形状に並置して成る止水板の土台枠、該土台枠の上に小口にダボ穴を設けた補強板をダボ木で立て置きして鎹で固定し、板材の両小端面に複数のダボ穴を設けた止水板材をダボ木で組積して鎹で土台枠に固定して成る下部の止水板材、該止水板材の上に、前記、止水板材をダボ木で組積して補強板と鎹で固定して成る止水躯体、該止水躯体の浸水側に防水シートを被せて止水躯体の上に笠木をビスで固定し、浸水側の防水シートの上を浸水防止の重しネットを載せて、止水躯体の補強板に転倒防止板をビス固定して、土嚢で補強することで、浸水災害が防止できる止水板が迅速且つ低価格で容易に造れる大きな効果が得られる。
【発明を実施するための最良の形態】
【００１５】
以下に、本発明の実施形態は添付図面を参照しつつ詳細に説明する。
【００１６】
図１は、本発明に係る大容量の大型仮設貯水槽の鳥観図。図２は、高さの低い大型仮設貯水槽の鳥観図。図３は、大容量の大型仮設貯水槽の断面詳細図。図4は、高さの低い大型仮設貯水槽の断面詳細図。図5は、ミニ貯水槽の鳥観図。図6は、止水板の平面図。図７は、止水板の立面図。図8は、図6A部の詳細図。図9は、止水板の断面詳細図。図10は、止水板材の鳥観図。図11は、テラスの平面図。図12は、バルコニーの平面図。図13は、組積躯体の鎹固定図。
【００１７】
本発明の実施形態を図面で説明すれば、図1は、板面に止水板材用のダボ穴5と補強板用のダボ穴5を設けた板材1を、平らな地面7へ貯水槽Eの形状に並置して成る貯水槽Eの土台枠8、該土台枠8の上に小口にダボ穴5を設けた補強板6をダボ木10で立て置きして鎹19で固定し、板材1の両小端面に複数のダボ穴5を設けた止水板材9をダボ木10で組積して鎹19で土台枠8に固定して成る下部の止水板材9、該止水板材9の上に、前記、止水板材9をダボ木10で組積して補強板6と鎹19で固定して成る貯水槽躯体F、該貯水槽躯体Fの内側を防水シート12で覆って貯水槽躯体Fの上に笠木13をビス11で固定し、貯水槽躯体Fの補強板6に転倒防止板Gをビス11で固定して造る大容量の大型仮設貯水槽の鳥観図。
【００１８】
図２は、板面に止水板材用のダボ穴5と補強板用のダボ穴5を設けた板材1を、平らな地面7へ貯水槽Eの形状に並置して成る貯水槽Eの土台枠8、該土台枠8の上に小口にダボ穴5を設けた補強板6をダボ木10で立て置きして鎹19で固定し、板材1の両小端面に複数のダボ穴5を設けた止水板材9をダボ木10で組積して鎹19で土台枠8に固定して成る下部の止水板材9、該止水板材9の上に、前記、止水板材9をダボ木10で組積して補強板6と鎹19で固定して成る貯水槽躯体F、該貯水槽躯体Fの内側を防水シート12で覆って貯水槽躯体Fの上に笠木13をビス11で固定して造る高さの低い大型仮設貯水槽の鳥観図。
【００１９】
図３は、大容量の大型仮設貯水槽の断面詳細図である。
【００２０】
図4は、高さの低い大型仮設貯水槽の断面詳細図である。
【００２１】
図5は、ミニ貯水槽の鳥観図である。
【００２２】
図6は、板材1の板面に止水板材の差込溝2を設けて成る止水板固定部材3、該止水板固定部材3を構築物4の基礎部に固定して、前記、板面に止水板材用のダボ穴5と補強板用のダボ穴5を設けた板材を、平らな地面7へ止水板Aの形状に並置して成る止水板Aの土台枠8、該土台枠8の上に小口にダボ穴5を設けた補強板6をダボ木10で立て置きして鎹19で固定し、板材1の両小端面に複数のダボ穴5を設けた止水板材9をダボ木10で組積して鎹19で土台枠8に固定して成る下部の止水板材9、該止水板材9の上に、前記、止水板材9をダボ木10で組積して補強板6と鎹19で固定して成る止水躯体C、該止水躯体Cの浸水側に防水シート12を被せて止水躯体Cの上に笠木13をビス11で固定し、浸水側の防水シート12の上を浸水防止の重しネット14を載せて、止水躯体Cの補強板6に転倒防止板Gをビス11固定して、土嚢15で補強することで浸水が防止できる止水板の平面図である。
【００２３】
図７は、止水板の立面図である。
【００２４】
図8は、図6のA部の詳細図である。
【００２５】
図9は、止水板の断面詳細図である。
【００２６】
図10は、止水板材の鳥観図である。
【００２７】
図11は、テラスの平面図である。
【００２８】
図12は、バルコニーの平面図である。
【００２９】
図13は、組積躯体の鎹固定図である。
【００３０】
以上、図面について説明したが、本発明は、台風や集中豪雨による浸水被害を最小限に抑える対策として、低価格且つ迅速に全ての国民が、容易に造れる大型仮設貯水槽で浸水を抑制する各種大型仮設貯水槽、さらに、低価格且つ容易に造れる止水板で浸水を防止することを目的としたものである。
【００３１】
また、本発明で使用する板材や補強板は我が国の木材を使用することから、全国市町村の疲弊する山村林業の活性化に貢献ができる。
【実施例１】
【００３２】
「大容量の大型仮設貯水槽の実施例」
図１と図3と図13を参照に、板材30ｍｍ×120ｍｍ×1,500ｍｍの板面小端側に、複数のダボ穴10ｍｍφと補強板の取付ダボ穴10ｍｍφを設けた土台枠を、平らな地面へ大型貯水槽の形状に連結並置して成る大型貯水槽の土台枠の上に、小口にダボ穴10ｍｍφを設けた補強板30ｍｍ×90ｍｍ×600ｍｍをダボ木10ｍｍφ×40ｍｍを用いて立てかけて、鎹6ｍｍ×90ｍｍで並置固定して補強枠を成し、上記、土台枠の上に板材30ｍｍ×120ｍｍ×1,500ｍｍの両小端面に複数のダボ穴10ｍｍφを設けた止水板材を、ダボ木10ｍｍφ×40ｍｍを用いて補強板に添えつつ連結して、土台枠に鎹6ｍｍ×90ｍｍで固定して成る1段目の止水板材の上に、前記、ダボ木を用いて4段を千鳥状に補強板の高さまで組積して、前記、鎹で固定して成る貯水槽躯体に防水シートを被せて、笠木30ｍｍ×120ｍｍ×3,000ｍｍをビス固定する。さらに、全ての補強板に転倒防止板30ｍｍ×120ｍｍをビス固定して、固定ピンを地中に打込んで転倒防止補強することで大容量の大型仮設貯水槽が構築できる。
【実施例２】
【００３３】
「高さの低い大型仮設貯水槽の実施例」
図2と図4と図13を参照に、板材30ｍｍ×120ｍｍ×1,500ｍｍの板面小端側に、複数のダボ穴10ｍｍφと補強板の取付ダボ穴10ｍｍφを設けた土台枠を、平らな地面へ大型貯水槽の形状に連結並置して成る大型貯水槽の土台枠の上に、小口にダボ穴10ｍｍφを設けた補強板30ｍｍ×90ｍｍ×360ｍｍをダボ木10ｍｍφ×40ｍｍを用いて立てかけて、鎹6ｍｍ×90ｍｍで並置固定して補強枠を成し、上記、土台枠の上に板材30ｍｍ×120ｍｍ×1,500ｍｍの両小端面に複数のダボ穴10ｍｍφを設けた止水板材を、ダボ木10ｍｍφ×40ｍｍを用いて補強板に添えつつ連結して、土台枠に鎹6ｍｍ×90ｍｍで固定して成る1段目の止水板材の上に、前記、ダボ木を用いて2段を千鳥状に補強板の高さまで組積して、前記、鎹で固定して成る貯水槽躯体に防水シートを被せて、笠木30ｍｍ×120ｍｍ×3,000ｍｍをビス固定する。さらに、転倒防止の土嚢を配して転倒防止補強することで高さの低い大型仮設貯水槽が構築できる。
【実施例３】
【００３４】
「ミニ貯水槽の実施例」
図5と図4と図13を参照に、板材30ｍｍ×120ｍｍ×1,500ｍｍの板面小端側に、複数のダボ穴10ｍｍφと補強板の取付ダボ穴10ｍｍφを設けた土台枠を、平らな地面へミニ貯水槽の形状に連結並置して成るミニ貯水槽の土台枠の上に、小口にダボ穴10ｍｍφを設けた補強板30ｍｍ×90ｍｍ×360ｍｍをダボ木10ｍｍφ×40ｍｍを用いて立てかけて、鎹6ｍｍ×90ｍｍで並置固定して補強枠を成し、上記、土台枠の上に板材30ｍｍ×120ｍｍ×1,500ｍｍの両小端面に複数のダボ穴10ｍｍφを設けた止水板材を、ダボ木10ｍｍφ×40ｍｍを用いて補強板に添えつつ連結して、土台枠に鎹6ｍｍ×90ｍｍで固定して成る1段目の止水板材の上に、前記、ダボ木を用いて2段を千鳥状に補強板の高さまで組積して、前記、鎹で固定して成る貯水槽躯体に防水シートを被せて、笠木30ｍｍ×120ｍｍ×3,000ｍｍをビス固定することでミニ貯水槽が構築できる。
【実施例４】
【００３５】
「止水板の実施例」
図6〜図9と図13を参照に、板材45ｍｍ×120ｍｍ×1,500ｍｍの板面に32ｍｍ×20ｍｍの止水板の差込溝を設けた止水板固定部材を、構築物両側面の基礎部にビス固定して、板材30ｍｍ×120ｍｍ×1,500ｍｍの板面小端側に、複数のダボ穴10ｍｍφと補強板の取付ダボ穴10ｍｍφを設けた板材を土台枠として、該土台枠を連結並置して成る土台枠の上に、小口にダボ穴10ｍｍφを設けた補強板30ｍｍ×90ｍｍ×600ｍｍをダボ木10ｍｍφ×40ｍｍを用いて立てかけて、鎹6ｍｍ×90ｍｍで並置固定して補強枠を成し、上記、土台枠の上に板材30ｍｍ×120ｍｍ×1,500ｍｍの両小端面に複数のダボ穴10ｍｍφを設けた止水板材を、ダボ木10ｍｍφ×40ｍｍを用いて補強板に添えつつ連結して、土台枠に鎹6ｍｍ×90ｍｍで固定して成る1段目の止水板材の上に、前記、ダボ木を用いて4段を千鳥状に補強板の高さまで組積して、前記、鎹で固定して成る止水板躯体に防水シートを被せて、笠木30ｍｍ×120ｍｍ×3,000ｍｍをビス固定する。さらに、補強板に転倒防止板30ｍｍ×120ｍｍをビス固定して転倒防止補強して、浸水側の防水シート上を複数の重しネットで、防水シートの浮き上がりを防止することで浸水を防止する止水板が構築できる。さらに、必要に応じて土嚢を用いて転倒防止補強をする。
【実施例５】
【００３６】
「止水板材で造るテラスの床の実施例」
図10と図11を参照に、平らな地面に防腐処理した大引き90ｍｍ×90ｍｍを900ｍｍ間隔に並置して、板材45ｍｍ×120ｍｍ×1,500ｍｍの両小端面に複数のダボ穴10ｍｍφを設けた止水板材を、ダボ木10ｍｍφ×40ｍｍを用いて千鳥状に連結してビスで固定することでテラスの床が構築できる。
【実施例６】
【００３７】
「止水板材で造るバルコニーの床の実施例」
図10と図11を参照に、テラスの床に防振ゴム15ｍｍ×40ｍｍを900ｍｍ間隔に並置して、板材45ｍｍ×120ｍｍ×1,500ｍｍの両小端面に複数のダボ穴10ｍｍφを設けた止水板材を、ダボ木10ｍｍφ×40ｍｍを用いて千鳥状に連結してビスで固定することでバルコニーの床が構築できる。
【００３８】
なお、この発明において、実施例に示した寸法は、一例を示したものであり、他の寸法に置き換えることは可能である。例えば、板材の長さや板厚の寸法は強度によって自由に設定できる。また、木材に代わる材料など強度が得られるものであれば発明を支障なく実施することができる。
【産業上の利用可能性】
【００３９】
我が国は台風や集中豪雨による浸水被害が多発している。この浸水被害を最小限に抑える対策として、止水板が開発されているが高価格で一般家庭には普及しないのが現状である。本発明は、浸水被害を最小限に抑える対策として、低価格且つ迅速に全ての国民が、容易に造れる大型仮設貯水槽で浸水を抑制する各種大型仮設貯水槽、さらに、低価格且つ容易に造れる止水板で浸水を防止する「防水シートで覆って止水する止水組積躯体」を提供するものである。
【図面の簡単な説明】
【００４０】
【図１】本発明に係る大容量の大型仮設貯水槽の鳥観図。
【図２】高さの低い大型仮設貯水槽の鳥観図。
【図３】大容量の大型仮設貯水槽の断面詳細図。
【図４】高さの低い大型仮設貯水槽の断面詳細図。
【図５】ミニ貯水槽の鳥観図。
【図６】止水板の平面図。
【図７】止水板の立面図。
【図８】図6のA部の詳細図。
【図９】止水板の断面詳細図。
【図１０】止水板材の鳥観図。
【図１１】テラスの平面図。
【図１２】バルコニーの平面図。
【図１３】組積躯体の鎹固定図。
【符号の説明】
【００４１】
1.   板材
2.   止水板材の差込溝
3.   止水板固定部材
4.   構築物
5.   ダボ穴
6.   補強板
7.   平らな地面
8.   土台枠
9.   止水板材
10.  ダボ木
11.  ビス
12.  防水シート
13.  笠木
14.  重しネット
15.  土嚢
16.  固定ピン
17.  大引き
18.  クッション材
19.  鎹
A、止水板
B、組積躯体
C、止水板躯体
D、止水板
E、貯水槽
F、貯水槽躯体
G、転倒防止板
H、テラスの平面図
I、バルコニーの平面図
【要約】
【課題】本発明は、豪雨に伴う浸水を仮設貯水槽で抑制するための防水シートで覆って止水する止水組積躯体を提供する。
【解決手段】
板面に止水板材用のダボ穴5と補強板用のダボ穴5を設けた板材1を、平らな地面7へ貯水槽Eの形状に並置して成る貯水槽Eの土台枠8、該土台枠8の上に小口にダボ穴5を設けた補強板6をダボ木10で立て置きして鎹19で固定し、板材1の両小端面に複数のダボ穴5を設けた止水板材9をダボ木10で組積して鎹19で土台枠8に固定して成る下部の止水板材9、該止水板材9の上に、前記、止水板材9をダボ木10で組積して補強板6と鎹19で固定して成る貯水槽躯体F、該貯水槽躯体Fの内側を防水シート12で覆って貯水槽躯体Fの上に笠木13をビス11で固定し、貯水槽躯体Fの補強板6に転倒防止板Gをビス11で固定して、固定ピン16と土嚢16で補強することで、貯水槽が構築できることを特徴とする防水シートで覆って止水する止水組積躯体。
【選択図】  図1【図１】
0006882749.tif 000002
【図２】
0006882749.tif 000003
【図３】
0006882749.tif 000004
【図４】
0006882749.tif 000005
【図５】
0006882749.tif 000006
【図６】
0006882749.tif 000007
【図７】
0006882749.tif 000008
【図８】
0006882749.tif 000009
【図９】
0006882749.tif 000010
【図１０】
0006882749.tif 000011
【図１１】
0006882749.tif 000012
【図１２】
0006882749.tif 000013
【図１３】
0006882749.tif 000014